(57)【要約】  湿式シェービング用かみそり及びシステムが提供される。かみそり（１０）は、加熱素子（３６，４０）及び加熱素子によって加熱されてもよい加熱物質（２８）を含む。いくつかのシステムはカミソリ用のホルダー（１００）を包含し、かみそりの電気接点と係合するように配置されて電源から加熱素子に電力を供給する接点を備えたことを特徴とする。
2009511154.tif 000002
【特許請求の範囲】
【請求項１】
外側表面をもつ中空体を含むハンドルと、
前記外側表面に配置された電気接点と、
前記ハンドル内に設けられ、前記接点と電気連通する加熱素子と、
前記加熱素子によって加熱されるように前記中空体内に配置された加熱物質と、
前記ハンドルから延び、細長い刃先を含む複数のブレードを有するブレードユニットと、
シェービングしている間に前記ブレードユニットから加熱物質を供給することができる流体通路と、を備えたことを特徴とする湿式シェービング用のかみそり。
【請求項２】
前記中空体内に配置される相変化物質を更に備えたことを特徴とする請求項１に記載のかみそり。
【請求項３】
前記加熱物質が、石鹸、シェービング調製品、又はシェービングエイドからなることを特徴とする請求項１に記載のかみそり。
【請求項４】
前記中空体が断熱性を有することを特徴とする請求項１に記載のかみそり。
【請求項５】
前記ハンドルから前記ブレードユニットに向けて前記加熱物質を移動させる手段を更に備えたことを特徴とする請求項１に記載のかみそり。
【請求項６】
前記加熱物質が所望の温度に達したことをユーザーに示すための手段を更に備えたことを特徴とする請求項１に記載のかみそり。
【請求項７】
（ａ）かみそりであって、
（ｉ）外側表面をもつ中空体を含むハンドルと、
（ｉｉ）前記外側表面に配置された電気接点と、
（ｉｉｉ）前記ハンドル内に設けられ、前記接点と電気連通する加熱素子と、
（ｉｖ）前記ハンドルから延び、細長い刃先を含む複数のブレードを有するブレードユニットとを有するかみそりと、
（ｂ）前記かみそりの前記接点と係合するように配置され、電源からの電気を前記加熱素子に供給する接点を有するかみそり用ホルダーと、を備えたことを特徴とする湿式シェービング用システム。
【請求項８】
かみそりを受容するように構成された本体と、
前記かみそりの電気接点と係合するように前記本体に配置され、電源からの電気を前記かみそりに供給する電気接点と、を備えたことを特徴とする湿式シェービング用かみそりのホルダー。
【請求項９】
前記本体が交換カートリッジの補給品を保持するように構成されることを特徴とする請求項８に記載のホルダー。
【請求項１０】
前記本体がユーザーに分配される物質の補給品を含むことを特徴とする請求項８に記載のホルダー。
【請求項１１】
外側表面をもつ中空体を含むハンドルと、
前記外側表面に配置された電気接点と、
前記ハンドル内に設けられ、前記接点と電気連通する加熱素子と、
熱を保持するために前記中空体内に配置され、これにより電流が前記加熱素子に供給された場合に前記ハンドルを加熱する加熱物質と、
前記ハンドルから延び、細長い刃先を含む複数のブレードを有するブレードユニットと、を備えたことを特徴とする湿式シェービング用のかみそり。
【発明の詳細な説明】
【技術分野】
【０００１】
本発明は、シェービング用かみそり及びかみそりカートリッジに関するものであり、とりわけ、湿式シェービング用のかみそりに関する。
【背景技術】
【０００２】
湿式シェービング用かみそりのユーザーは一般に、シェービングしている間に自らの皮膚に暖かさを感じることを高く評価する。暖かさは、心地良さを感じさせて、より快適なシェービングが実現される。
【０００３】
シェービングしている間に暖かさを感じさせるために、種々の試みがなされてきた。例えば、シェービングクリームは、シェービング缶から放出されると発熱反応をするように配合されており、その結果、シェービングクリームが、皮膚に暖かさを与える。また、かみそりヘッドは、電池などの電力源により供給される電力によって、温風、加熱エレメント、及び線走査レーザービームを使用して、加熱されることとしていた。
【発明の開示】
【発明が解決しようとする課題】
【０００４】
あるケースでは、かみそりの部分は相変化物質を用いて加熱される。かかるかみそりは米国特許第６，８６８，６１０号に記載されており、該記載は参照することにより本明細書に組み込まれる。
【課題を解決するための手段】
【０００５】
かみそりを特徴付ける本発明のいくつかの態様があり、それにはハンドルの外部の電源から電気が供給される、ハンドル内に設けられた加熱素子が含まれる。例えば、ハンドルからカートリッジに流れる流体によって、熱がハンドルからカートリッジに供給される。ある実施態様では、流体はカートリッジから分配される。
【０００６】
一つの態様では、本発明は、外側表面をもつ中空体を含むハンドルと、前記外側表面に配置された電気接点と、前記ハンドル内に設けられ、前記接点と電気連通する加熱素子と、前記加熱素子によって加熱されるように前記中空体内に配置された加熱物質と、前記ハンドルから延び、細長い刃先を含む複数のブレードを有するブレードユニットと、シェービングしている間に前記ブレードユニットから加熱物質を供給することができる流体通路と、を備えたことを特徴とする湿式シェービング用のかみそりである。
【０００７】
いくつかの実施形態は次の特徴の１以上を含む。前記かみそりは前記ハンドル内に配置された相変化物質を更に含む。前記加熱物質は加熱された場合に液化可能な固体であってもよい。前記加熱物質は石鹸、シェービング調製品、又はシェービングエイドから成っても良い。前記ブレードユニットは前記物質が分配される開口を含んでもよく、いくつかの場合には、前記開口を通る流量を制御するように構成されたバルブを含んでもよい。前記中空体は断熱性であってよい。前記かみそりは、前記ハンドルから前記ブレードユニットに向けて前記加熱物質を移動させるための手段を含んでもよい。前記かみそりは、前記加熱物質が所望の温度に達したことをユーザーに示すための手段を含んでもよい。
【０００８】
別の態様において、本発明は湿式シェービング用システムを特徴とし、ａ）かみそりであって：ｉ）外側表面をもつ中空体を含むハンドルと；（ｉｉ）前記外側表面に配置された電気接点と；（ｉｉｉ）前記ハンドル内に設けられた、前記接点の間に延びた加熱素子と；（ｉｖ）前記ハンドルから延び、細長い刃先を含む複数のブレードを有するブレードユニットとを有するかみそりと、ｂ）前記かみそりの前記接点と係合するように配置され、電源からの電気を前記加熱素子に供給する接点を有するホルダーと、を備えたことを特徴とする。
【０００９】
いくつかの実施形態は次の特徴の１以上を含んでもよい。前記電源は、前記ホルダー内に配置されるバッテリー、及び／又は外部電源を含んでもよい。前記システムは、例えば、前記かみそりが前記ホルダーから飛び出す（pop up）ように構成された機構又はサーモクロミック表示器などの、前記加熱物質が所望の温度に達したことをユーザーに示すための手段を含んでもよい。前記かみそりは、前記中空体内に配置され、液体、泡、ジェル、及び加熱された場合に液化する固体又は半固体の物質から成る群から選択される加熱物質を含んでもよい。前記加熱物質は前記かみそりハンドル内に設けられた交換可能カートリッジの中に配置されてもよい。
【００１０】
更なる態様において、本発明は、前記かみそりを受容するように構成された本体と、前記かみそりの電気接点と係合するように前記本体に配置され、電源からの電気を前記かみそりに供給する電気接点と、を備えたことを特徴とする湿式シェービング用かみそりのホルダーを特徴とする。
【００１１】
本発明はまた、抵抗素子及び相変化物質を使用して前記ハンドルが加熱されるのを可能とする構成のかみそりを特徴とする。
【００１２】
本発明の１つ以上の実施形態の詳細を、添付図面及び以下の説明に記述する。本発明の他の特徴、目的、及び利点は、説明及び図面、並びに請求項によって明白になるであろう。
【発明を実施するための最良の形態】
【００１３】
図１を参照すると、かみそり１０はハンドル１２及び該ハンドルに取り付けられるブレードユニット１４を含む。ブレードユニットは、ハンドルに取り外し可能に取り付けられる交換可能カートリッジであってもよく、かみそりが使い捨ての場合はハンドルから一体化して延びてもよい。
【００１４】
ブレードユニットは、周知のように、複数のブレード１６、ガード１８、ブレードを固定するための一対のクリップ２０、及びキャップ２２を含んでいる。ブレードユニットはまた、オリフィス２４を含み、オリフィスを通って構成要素が分配されてもよい。オリフィス２４は導管２５を介してハンドル１２と流体連通している。
【００１５】
ハンドル１２は、例えば石鹸などの溶解可能な物質の円筒状プラグ２８を包含するチャンバ２６を画定する。以下に記述するように、物質は、外部電源からハンドルに供給される熱によって融解する。円筒状プラグ２８はバネ３０によってチャンバ２６の上部に対して偏倚しており、バネ３０はプラグが置かれているプランジャ３２を圧迫し、暖かくて融解した物質を導管２５及びオリフィス２４を介して強制的に外に出す。いくつかの実施において、かみそりは一旦プラグ２８の物質が使い果たされると使い捨てられるように構成される。その他の実施において、かみそりは、例えば、ハンドルの末端部のバネ及びキャップ（図示せず）を除去して新しいプラグを挿入することによって、例えばプラグ２８を取り替えることにより、追加の物質を再装填するように構成される。かみそりのホルダー又はオーガナイザーは、交換カートリッジ及び／又はプラグの補給品を保持する構成とすることもできる。
【００１６】
ハンドルはまた、ホルダー１００（図２に図示し、以下で説明する）の上の対応する接点と係合するように配置された接点（図示せず）を含み、ハンドルに外部電源から電流が放出されるようにする。接点はハンドルに沿ったいかなる場所にも配置することができ、互いに隣接してもよく、又は、例えばハンドルの対向する末端部などに互いに離間してもよい。会部電源は、例えば、ホルダー内部（図示せず）に配置されたバッテリー又は電気コード（図示せず）を介してホルダーに放出されるＡＣ電源であってもよい。
【００１７】
ここで図１Ａ及び１Ｂを参照すると、ハンドルは、例えば、電源から電流を受け取る抵抗素子などの加熱素子を含み、その比較的高い抵抗によってハンドルを加熱する。図１Ａに示される実施形態では、加熱素子３６は、ハンドルの断熱性ハウジング３８内のハンドルの長さに沿って延びる。代替的実施形態では、図１Ｂに示されるように、加熱素子３６’はプラグ２８の周囲をらせん巻きしている。両方の実施形態において、加熱素子はハウジング３８によって画定される管状チャンバの中の相変化物質の中に埋め込まれている。相変化物質は融解すると潜熱を蓄え、再結晶の間に熱を放出する。ハンドルの中の相変化物質は室温で固体であり、容易に融解することができ、かみそりを「蓄熱充電」する（thermally charging）。（相変化物質は管状チャンバに囲まれており、したがって融解した場合に流出しない。）融解した相変化物質は再結晶するので、制御されたやり方で熱を放出し、特定の温度（相変化物質の融解点）で制御されたやり方でプラグ２８の物質を融解する。加熱素子が高温に達したとしても、一般に相変化物質の温度は、任意の有意な期間（即ち、数秒内）物質の融解温度を上まらない。従って、プラグ２８の融解した物質の温度は、全ての相変化物質が融解するまで相変化物質の融点を上まらない。従って、分配された物質が不快なほど熱くなるとは考えにくい。更に、相変化物質は、加熱素子によって提供された熱をプラグ２８の周囲に均一に分配し、電流が加熱素子に放出されなくなった後しばらくの間熱を保持する。
【００１８】
相変化物質には、パラフィン、低融点塩、低融点塩含有結晶水、有機又は無機化合物の共融混合物、低融点金属又は合金、マイクロカプセル化相変化物質、又は上記物質のブレンドが含まれる。相変化物質はアルキルカルボキシル酸を含んでもよい。相変化物質はウンデカン酸、デカン酸、ノナデカン、エイコサン、及びトリデカン酸から成る群から選択することができる。いくつかの実施において、かみそりは、例えば、異なる再結晶化／核生成速度を有する相変化物質などの、複数の相変化物質を含む。相変化物質を含むかみそりは、米国特許第６，８６８，６１０号に記載されており、該特許の開示を参照することにより本明細書に組み入れる。
【００１９】
上記のかみそりがホルダー１００の中に定置されると、かみそりの接点３４がホルダーの接点１０２と係合する。次に、電源から加熱素子３６へと電流が供給され、相変化物質を加熱し、プラグ２８の部分を融解する。オリフィス２４への流れが加熱中及び剃毛の前に停止することが一般に好ましく、その結果プラグ２８の物質がオリフィスを介してホルダーに漏れない。例えば、かみそりが、接点部に枢動可能に取り付けられたブレードユニットを含む取り外し可能なカートリッジを含む場合、ブレードユニットの中の一対の孔を含む流路、及び、かみそりがホルダー１００の中にある場合は位置あわせされず、かみそりが使用中の場合は互いに一直線になる連結部によって流れが阻止されることが可能である。任意のその他の所望の手段によって流れを阻止することが可能であり、例えば、かみそりは、かみそりがホルダー上の適切な位置にある場合は閉じ、かみそりの使用中は開くように構成されたバルブを含んでもよく、或いは、ホルダーはオリフィス２４を封止するプラグ又はその他の手段を含んでもよい。
【００２０】
かみそりが熱チャージされている間、ユーザーは、洗浄それからシェービング調製品を適用することによりシェービングの準備をすることができる。かみそりが十分熱チャージされると、このことがユーザーに示される。例えば、かみそりがホルダーの外に「飛び出し（pop-up）」てもよい。これは、例えば、かみそりの準備が整うと電子機器が、レバーが開くようにシグナルを送り偏倚したバネがハンドルに作用するように構成された、電気ソレノイド又は放出レバーを備えた偏倚したバネなどの任意の好適な手段によって実施されてもよい。或いは、又は加えて、ライトが点灯してもよく、又はブザーやチャイムなどの可聴表示が設けられてもよい。任意のその他の所望の表示器を使用することができる。所望であれば、表示器は、物質がオリフィス２４からあふれ出るように十分に軟化する直前に停止するように設定されてもよく、物質がホルダーの上に流れることを阻止するためのバルブ又はシールの必要性を除去する。
【００２１】
いくつかの実施において、表示器は、かみそりが所望の温度に達したときに色を変化させる要素であってもよい。この場合、表示器は、例えば、かみそりの上に配置されたストリップ又はかみそりが熱チャージされると現れる英数字表示などの示温物質を含んでもよい。
【００２２】
図３に示される代替的実施形態において、ハンドルは、融解する物質を通って延びる一つの抵抗素子４２を含む。融解する物質の中に抵抗素子を配置することによって、物質がより速く融解することが可能となる。熱の一部が周囲の相変化物質に伝えられ、続いて相変化物質が融解する及び、相変化物質によって保持された潜熱によって絶縁ブランケットとして作用する。抵抗素子及び融解する物質は、例えば上記のような物質のプラグなどの、一体化された、交換式ユニットとして提供されてもよい。
【００２３】
本発明の多数の実施形態を記載してきた。しかし、本発明の精神及び範囲を逸脱することなく、様々な変更を行ってもよいことは明確であろう。
【００２４】
例えば、ある場合では、かみそりは、カートリッジから分配されるものがないように構成される。これらの実施において、ハンドルは、シェービングしている間、ユーザーの手に暖かくて快適な感覚を提供するために加熱される。カートリッジは一般に加熱されない。かかるかみそりにおいて、導管２５が削除されて変わりにハンドルが封止ユニットであることを除き、ハンドルは一般に上記のように構成される。これら実施における融解可能物質は、所望の熱的特長を有するいかなる物質でもよく、皮膚に優しい必要はない。
【００２５】
シェービングしている間に物質が分配される実施において、物質が加熱前に固体である必要はない。所望であれば、物質は、ローション、ジェル、又はその他の液体或いは半固体であってよい。かかる場合、物質が分配されるオリフィスは、例えば、スリットバルブのようなワンウェイバルブなどのバルブを含むことができる。この場合、例えば、ユーザーによって作動されるまで分配される物質に圧力を印加しない、バネで偏倚されたプランジャを作動させることにより、ユーザーが分配を制御してもよい。例えば、ユーザーはハンドルの上のボタンを押し、かみそり内の物質に圧力を印加し、オリフィス２４を封止しているワンウェイバルブに力を加えて開けることもできる。所望であれば、１以上の物質を、例えば同軸の通路を介して分配するようにかみそりを構成することも可能であり、この場合、好適な多ルーメン（multi-lumen）バルブは、２００５年４月２６日に出願された米国特許第１１／１１４，９８７号で名称「パーソナルケア機器のためのバルブ」に記載されているものと同じバルブである。当該特許の全開示は参照することにより本明細書に組み込まれる。
【００２６】
本明細書で示され、上述されたのは、簡単なバネとプランジャの機構であるが、かみそり内の加熱された物質に圧力を印加してオリフィス２４から押し出すためのその他の手段を使用することも可能である。例えば、スクイーズバルブを用いることにより又はプランジャに取り付けられたつまみを回転することにより（スティック防臭剤に使用される技術）。
【００２７】
それ故、その他の実施形態は添付の請求項の範囲内にある。
【図面の簡単な説明】
【００２８】
【図１】透明に示されたハンドルハウジングを有するかみそりの線正面図。
【図１Ａ】図１のかみそりのハンドル部分の拡大軸方向断面図であり、ハンドルの長さに沿って延びる加熱素子を含む図１に示されていないハンドルハウジングの構成要素を示す図。図１に示されたプランジャ／バネ組立品はこの図から省略されている。
【図１Ｂ】加熱素子がらせん巻きされているハンドルの代替的実施形態の拡大放射状断面図。
【図２】ハンドルを加熱するためにかみそりに電力を供給するこの可能な、図１のかみそりのホルダーの線斜視図。
【図３】図１のかみそり用の代替的ハンドルのデザインの拡大軸方向断面図。
【００２９】
様々な図面において、類似参照記号は類似要素を表す。
【図１】
2009511154.tif 000003
【図１Ａ】
2009511154.tif 000004
【図１Ｂ】
2009511154.tif 000005
【図２】
2009511154.tif 000006
【図３】
2009511154.tif 000007
【国際調査報告】
2009511154.tif 000008
2009511154.tif 000009
2009511154.tif 000010